(57)【要約】【課題】絵の具類入チューブや他の絵の道具類の収納を容易にして絵の具類入チューブの色の識別や出し入れ及び他の絵の道具類の取扱を簡便にして絵心を健全に持ち続けながら気軽に持ち歩ける絵の具箱を提供する。【解決手段】絵の具箱１は、内部に封入された絵の具類の色彩を表面に表示して成る絵の具類入チューブの複数本を纏めて縦状に収納できる絵の具類入チューブ仕切区画を箱内の一長片面側に複数列設けた絵の具類入チューブ収納部１０、その列端に設けた筆洗いや油壺類を収納する備品収納部１４、絵の具類入チューブ収納部と備品収納部に隣接させた他の絵の道具類を収納可能な道具類収納部１７及び箱内の他長片面側との間にパレット類を縦長方向に収納出来るパレット類収納部１８から構成する。【選択図】  図２
0003145614.tif 000002
【実用新案登録請求の範囲】
【請求項１】
内部に封入された絵の具類の色彩を表面に表示して成る絵の具類入チューブの複数本を縦状に収納可能に構成される絵の具類入チューブ仕切区画を箱内の一長片面側に複数列設けて成る絵の具類入チューブ収納部、該絵の具類入チューブ収納部の列端に設けられる筆洗いや油壺類を収納可能に構成される備品収納部、該絵の具類入チューブ収納部と備品収納部に隣接させて形成され絵の道具類を収納可能に構成される道具類収納部及び該道具類収納部に次いで形成され箱内の他長片面側との間にパレット類を縦長方向に収納可能に構成されるパレット類収納部から構成されており、所望の絵の具類入チューブ、絵画の備品、他の絵の道具類及びパレット類を箱の上部から出し入れ可能にすることを特徴とする絵の具箱。
【請求項２】
絵の具類入チューブの収納部を構成している絵の具類入チューブ仕切区画を透明に構成することを特徴とする請求項1に記載の絵の具箱。
【請求項３】
パレット類収納部を構成する仕切板を有色にして取外し可能に構成することを特徴とする請求項1、２に記載の絵の具箱。
【請求項４】
絵の具箱の外表面を箱内の閉塞模様で美麗化することを特徴とする請求項1〜３に記載の絵の具箱。
【請求項５】
絵の具類入チューブ収納部を構成している絵の具類入チューブ仕切区画を、通常の封入量が内部に封入された絵の具類入チューブの１乃至２本を収納可能に構成することを特徴とする請求項1〜４に記載の絵の具箱。
【請求項６】
絵の具類入チューブ収納部を構成している絵の具類入チューブ仕切区画を、少量の封入量が内部に封入された絵の具類入チューブの１乃至３本を収納可能に構成することを特徴とする請求項1〜４に記載の絵の具箱。
【考案の詳細な説明】
【技術分野】
【０００１】
本考案は、絵の具類入チューブや他の絵の道具類の収納を容易にして絵の具類入チューブの色の識別や出し入れ及び他の絵の道具類の取扱を簡便にすることで絵心を健全に持ち続けながら気軽に持ち歩ける絵の具箱に関する。
【背景技術】
【０００２】
絵を描くことを趣味にしていたり、実益を求めている人々は、基本色を中心にした３０本以上の絵の具類を求めており、油絵の具、アクリル絵の具、アキーラ絵の具及び水彩絵の具等の絵の具類をパレットや他の絵の道具類と共に収納箱に入れて絵画教室や屋外の写生に行く際に持ち運んでいる。
これらの絵の具類等は、収納箱の中で乱雑になったり場合によっては数段に重ね合ったりして混沌とした状態になることが多くなって、結果的に絵を描く際の煩わしさとなって折角の絵心を中断させてしまうことも多くなっていたが、これらの問題を解決するためにも、多くの絵の具類を簡潔に整理、整頓し、絵の具類入チューブの表面が封入されている絵の具類と異なる色彩である他の絵の具類で汚染されている場合でも、希望する絵の具類入チューブを容易に選択して出し入れ出来るような絵の具類入チューブの収納箱も提案されていた。（特許文献１）
又、上記のように単に絵の具類を簡潔に整理、整頓するだけでなく、絵の具のチューブを色の識別が容易になるように整理して置いて絵の具類の識別や出し入れを容易に整理して絵の具や他の絵の道具類の収納を持ち運びが簡単に成るようにコンパクトにする絵の具類の収納箱も検討されてきた。（特許文献２）
【０００３】
しかしながら、上記における提案や検討された絵の具類の収納箱は、絵の具類入チューブを縦状に上方から収納可能に構成された仕切板やパレットを縦状に収納できるパレット仕切板を収納箱の内部に設けて他の絵の道具類の収納部を個別に構成して絵の道具類の持ち運びと簡潔な取り扱いが容易に成るようにコンパクトに整理、整頓されている絵の具箱を実現していたが、絵の具類入チューブをより効率的に収納したり、パレットと共に必須である筆、ペインテイングナイフ、パレットナイフ、油壺及び布等の他の絵の道具類を箱の上部から容易に出し入れしながら整理可能な絵の具箱に関しては、依然として使い勝手の良さを追求して欲しい懸案事項になっていた。
【特許文献１】実願２００７−００２８９４号
【特許文献２】実願２００７−００８９２１号
【考案の開示】
【考案が解決しようとする課題】
【０００４】
本考案は、絵の具類入チューブや他の絵の道具類の収納を容易にして絵の具類入チューブの色の識別や出し入れ及び他の絵の道具類の取扱を簡便にすることで絵心を健全に持ち続けながら気軽に持ち歩ける絵の具箱の提供を目的にしている。
【課題を解決するための手段】
【０００５】
本考案による基本的な絵の具箱は、内部に封入された絵の具類の色彩を表面に表示して成る絵の具類入チューブの複数本を縦状に収納可能に構成される絵の具類入チューブ仕切区画を箱内の一長片面側に複数列設けて成る絵の具類入チューブ収納部、この絵の具類入チューブ収納部の列端に設けられる筆洗いや油壺類を収納可能に構成される備品収納部、これらの絵の具類入チューブ収納部と備品収納部に隣接させて形成されて絵の道具類を収納可能に構成される道具類収納部及び道具類収納部に次いで形成され箱内の他長片面側との間にパレット類を縦長方向に収納可能に構成されるパレット類収納部から構成されるの
で、所望の絵の具類入チューブ、絵画の備品、他の絵の道具類及びパレット類を箱の上部から整理された状態で簡潔に出し入れ可能になっている。
【０００６】
本考案による第２の絵の具箱は、上記絵の具箱において、絵の具類入チューブの収納部を構成している絵の具類入チューブ仕切区画を透明に構成することを特徴としているので、上記の効果に加えて絵の具類入チューブの出し入れをより容易にしている。
【０００７】
本考案による第３の絵の具箱は、上記の各絵の具箱において、パレット類収納部を構成する仕切板を有色にして取外し可能に構成することを特徴としているので、パレット類収納部の仕切板を容易に見分けてパレット類の収納や仕切板の取外しを簡便にしている。
【０００８】
本考案による第４の絵の具箱は、上記の各絵の具箱において、絵の具箱の外表面を箱内の閉塞模様で美麗化することを特徴としているので、絵の具箱内の収納状態を外部から視認不可能にしている。
【０００９】
本考案による第５の絵の具箱は、上記の各絵の具箱において、絵の具類入チューブ収納部を構成している絵の具類入チューブ仕切区画を、通常の封入量が内部に封入された絵の具類入チューブの１乃至２本を収納可能に構成することを特徴としているので、充分な本数の絵の具類入チューブを収納可能にしている。
【００１０】
本考案による第６の絵の具箱は、上記の各絵の具箱において、絵の具類入チューブ収納部を構成している絵の具類入チューブ仕切区画を、少量の封入量が内部に封入された絵の具類入チューブの１乃至３本を収納可能に構成することを特徴としているので、絵の具類入チューブを底に斜めに傾斜させながら入れて手での拾い出しを可能にしている。
【考案の効果】
【００１１】
本考案による絵の具箱は、絵の具類入チューブや他の絵の道具類の収納を容易にして絵の具類入チューブの色の識別や出し入れ及び他の絵の道具類の取扱を簡便にすることで絵心を健全に持ち続けながら気軽に持ち歩ける絵の具箱を提供できる効果を奏している。
【考案を実施するための最良の形態】
【００１２】
本考案による絵の具箱は、基本的に内部に封入された絵の具類の色彩を表面に表示して成る絵の具類入チューブの複数本を縦状に収納可能に構成される絵の具類入チューブ仕切区画を箱内の一長片面側に複数列設けて成る絵の具類入チューブ収納部、この絵の具類入チューブ収納部の列端に設けられる筆洗いや油壺類を収納可能に構成される備品収納部、これらの絵の具類入チューブ収納部と備品収納部に隣接させて形成されて絵の道具類を収納可能に構成される道具類収納部及び道具類収納部に次いで形成され箱内の他長片面側との間にパレット類を縦長方向に収納可能に構成されるパレット類収納部から構成されるので、所望の絵の具類入チューブ、絵画の備品、他の絵の道具類及びパレット類を箱の上部から整理された状態で簡潔に出し入れ可能になっており、他にも各種の変化を成している。
【実施例１】
【００１３】
本考案による絵の具箱の概要は、図1で示すようにコンパクトに形成されているので、絵の具箱の全体像をこれらの図面に基づいて説明する。
本考案による絵の具箱１は、図1に示すように絵の具箱本体2を蓋3で閉鎖した後に蓋の両側に設けられている留め具4によって蓋３が開かないように堅固に止められている。又、絵の具箱本体2と蓋3は、図示のようにその外表面を全域に亘って適宜に美麗な装飾絵図５で覆われており、これによって絵の具箱１の内部は外部からは容易に覗けないように構成されている。
そして、絵の具箱１は、肩掛け紐６の肩掛けもしくは手でのぶら提げによって容易に持ち運びが出来るように構成されていて、肩掛け紐６はベルト７とその両端に取り外し可能に構成されたバックル８とによって構成されることで肩から提げる際の長さも適宜に調整できるように成っている。
【００１４】
絵の具箱本体2の内部は、図2に斜視図で示すように内部に封入された絵の具類の色彩を表面に表示して成る絵の具類入チューブ９の複数本を縦状に収納可能に構成した１５個の絵の具類入チューブ収納部１０を箱内の一長片面側１１に５個毎に３列にして配置している。この絵の具類入チューブ収納部１０には、４０ｍｌの通常な容量の絵の具類入チューブ１２を２本毎に収納可能であり、２０ｍｌの小容量である絵の具類入チューブ１３を収納する場合には３本毎に収納可能である。
又、絵の具類入チューブ１２、１３の本数が少ない場合には、図示のように絵の具箱本体2の底面に対して斜めに傾斜させて収納させることも可能であり、この場合には、斜め状態の絵の具類入チューブ１２、１３の単体を手で拾い出すことも容易である。
【００１５】
絵の具類入チューブ収納部１０の列端には、備品収納部１４が設けられている。この備品収納部１４は絵を描く際に必要になる筆洗い１５や油壺類１６を収納可能に構成されるものであって、その形状は任意であるものの図示のように各列に配列されている３個の絵の具類入チューブ収納部１０を貫いて一体の空間として形成された構造のものが絵の具類入チューブ収納部１０との整合も保たれて望ましいと言える。この備品収納部１４の配置場所は必ずしも絵の具類入チューブ収納部１０の列端に特定されるものでなく、必要な場合には絵の具類入チューブ収納部１０の中間位置に形成されることも可能である。
【００１６】
絵の具類入チューブ収納部１０と備品収納部１４とが一体になっている部分は、図示のように絵の具箱本体2の内部に備え付けて置く構成も採用可能であるが、必要な場合には一体になった絵の具類入チューブ収納部１０と備品収納部１４とを単体の備品として構成することによって、絵の具箱本体2の内部に設けた止め具等によって取外し可能な状態で配備する形態も当然に考慮されるものである。
この際の絵の具類入チューブ収納部１０と備品収納部１４とは、仕切り板２９の底部を底板によって封鎖しているものであって、此れを取り出す時に絵の具類入チューブ１２、１３や筆洗い１５や油壺類１６類が落下して乱雑に散乱しないように配慮している。絵の具箱本体2の内部に設けた止め具は、後述するパレット類収納部１８のように絵の具箱本体2の短片面側２３、２４側に固定されたコの字型支持部片２５と類似した材質と形状のものであれば任意に採用可能であり、例えば短片面側２３、２４側に備えられたＬ字型であっても絵の具類入チューブ収納部１０と備品収納部１４とを支えるには使用できるものである。
外部に取り出された単体の絵の具類入チューブ収納部１０と備品収納部１４とは、絵の具類等によって汚染されている場合には簡単に洗浄することも可能であって、絵の具箱本体2を再度使用する際にも綺麗な状態で使用できることになり、絵心を醸し出す上で効果的に作用することになる。
【００１７】
箱内の一長片面側１１に沿って直線状に配置されている絵の具類入チューブ収納部１０と備品収納部１４に隣接させる形態で、道具類収納部１７としての空間を形成している。この道具類収納部１７は、特別の部材によって構成されるものでなく、絵の具類入チューブ収納部１０と備品収納部１４の内側面と後述するパレット類収納部１８との間に画成される区域であって、絵の具箱本体2の内部における最も広い空隙とも言える区域であり、上述した絵の具類入チューブ１２、１３、筆洗い１５、油壺類１６以外の筆１９、ペインテイングナイフ２０及び特に図示していない他の絵の道具類であるパレットナイフや布等をも必要に応じて適宜に収納できるように構成している。
【００１８】
道具類収納部１７の一方側に形成されているパレット類収納部１８は、パレット仕切板２１と絵の具箱本体2内の反対の長片面側２２によって画成されている。
パレット仕切板２１は、絵の具箱本体２内の両長片面側１１、２２の両端を封鎖している短片面側２３、２４側に固定されたコの字型支持部片２５によってその位置を確立されており、図示しているようにパレット２６を縦長方向に折畳んで収納出来るように構成している。パレット仕切板２１は、透明であっても使用可能であるが、支持部片２５から簡単に分離可能な構造に形成されていることから見失ってしまう場合も想定されるものであり、これを回避するためにも青色等に着色して目に付き易くすると共に、パレット類収納部１８に収納されたパレット２６に付着した儘に残っている絵の具類によって汚された際には、絵の具箱本体２内から取り外して汚染している絵の具類を布等によって綺麗に拭き取ってから絵の具箱本体２内に戻せるように考慮してある。
【００１９】
本考案による絵の具箱を使用する際の概要は以上の通りであるが、絵の具箱本体2の内部における絵の具類入チューブ収納部１０、他の絵の道具を収納する道具類収納部１７及びパレット類収納部１８の詳細については、以下の絵の具箱本体2の平面図３及び図３のＡ−Ａ矢視図４に基づいて詳細に説明する。
絵の具箱本体2は、図３で示すように持ち運びに便利な形状の縦長角状であれば良く、その外観は透明、半透明のいずれであっても良好であるが、絵の具箱本体2内の収納物やそれらの乱雑な状態を掩蔽するためにも、本実施例では外側面を全域に亘って適宜に美麗な装飾絵図で覆われるように構成している。
【００２０】
絵の具箱本体2の内部は、大きく分けて絵の具類入チューブ収納部１０とパレット類収納部１８を主要部にして、絵を描く際に必要になる筆洗いや油壺類を収納可能に構成している絵の具類入チューブ収納部の端部に継続して成る備品収納部１４や筆、ペインテイングナイフ、パレットナイフ等から構成される他の絵の道具を収納できる道具類収納部１７とから構成されている。
【００２１】
絵の具類入チューブ収納部１０は、絵の具箱本体２内の一長片面側１１の側に設けられており、油絵の具、アクリル絵の具、アキーラ絵の具及び水彩絵の具等の各種絵の具類を内部に詰めている２０ｍｌ乃至４０ｍｌの絵の具類入チューブ３０本程度を上から縦方向に複数本挿入出来るように区画された複数の仕切板２９によって区画されている。
この絵の具類入チューブ収納部１０は、全てを均一に整理して設けているが場合によってはその一部分を白色絵の具類から成る大柄な絵の具類入チューブが挿入できる区画部として拡大して構成することも可能である。仕切板２９の材質は、木材であっても透明なプラスチック材であっても任意であって、仕切板２９の底面からの高さも絵の具類入チューブの内部に封入された絵の具類の色彩を示すチューブ表面の記号が見える高さであれば良い。
しかしながら、仕切板２９の高さは、仕切板２９を透明な材質で構成した場合にはチューブ表面の記号が仕切板２９を透かして確認することも可能であるので、必ずしもチューブ表面の記号が見られる寸法である必要は無いものである。又、仕切板２９の高さをチューブ表面の記号以上にして仕切板２９の上面に絵の具類入チューブの封入された絵の具類を表示する符号を記載するように構成する余地もある。
【００２２】
絵の具類入チューブ収納部１０の列端に設けられている備品収納部１４は、絵を描く際に必要になる筆洗いや油壺類等を収納出来るように構成されている。備品収納部１４の形状は、本実施例のように絵の具類入チューブ収納部１０の各列に配列されている３個の区画を一体の空間２７として形成される構造のものが、絵の具類入チューブ収納部１０との整合も保たれると同時に、以下に記述する道具類収納部１７における形状に関しても平滑さが保てる上で望ましいものである。
【００２３】
道具類収納部１７は、他の絵の道具を収納できる空間であって絵の具箱本体２内の長片面側１１側に設けられた絵の具類入チューブ収納部１０と備品収納部１４とで構成される直線状で平滑な仕切面２８によって区画されるものであり、筆、ペインテイングナイフ、パレットナイフ、布等から構成されるその他の絵の道具類を納めて置けるように広い空隙を確保している。
【００２４】
道具類収納部１７に継続して形成されているパレット類収納部１８は、パレット仕切板２１と絵の具箱本体2内の反対の長片面側２２によって画成されており、
パレット仕切板２１は、パレットを縦長方向に折畳んで収納出来るべく乱雑な取扱にも耐え得るように絵の具箱本体２内の両長片面側１１、２２の両端を封鎖している短片面側２３、２４側に固定されたコの字型支持部片２５によって堅固に保持されている。
パレット仕切板２１の形状は、簡単に分離可能な構造に形成されている支持部片２５に出し入れ自在であると共に紛失を防止するために目立つ色合いで着色されており、収納されたパレットに付着した儘の絵の具類によって汚された際も絵の具箱本体２内から取り外して汚染状態の絵の具類を布等で綺麗に拭き取った後に絵の具箱本体２内に戻せるように配慮している。
【００２５】
図４は、絵の具箱本体2を示す平面図３をＡ−Ａ矢視した絵の具箱本体2の縦断面図であって、絵の具箱本体２内の配列状態を縦の方向から表現している。
図示のように、絵の具類入チューブ収納部１０は、備品収納部１４と共に高さの均一な複数の仕切板２９から構成されており、絵の具類入チューブ収納部１０には、均一な封入量から成る絵の具類入チューブを多数収納したり、封入量の異なる大柄な絵の具類入チューブも適宜に挿入できる拡大区画と混合させながら収納可能なように自在に構成されている。
そして、絵の具類入チューブ収納部１０は、絵の具箱本体2の斜め上方から眺められることから、上述した絵の具類入チューブの内部に封入された絵の具類の色彩を示すチューブ表面の記号を確認することに関しても、これらを考慮しながら仕切板２９の材質や底面からの高さを任意に構成できるものである。
【００２６】
道具類収納部１７は、想像線で描かれた筆、ペインテイングナイフ、パレットナイフ及び布等の他の絵の道具を収納できる空間であって絵の具箱本体2内の広い空隙を確保している。
【００２７】
道具類収納部１７に継続しているパレット類収納部１８は、パレット仕切板２１と絵の具箱本体2内の反対の長片面側２２によって画成されており、パレット仕切板２１は、パレットを縦長方向に折畳んで収納出来るべく乱雑な取扱にも耐え得るように絵の具箱本体２内の両長片面側１１、２２の両端を封鎖している短片面側２４側に固定されたコの字型支持部片２５によって堅固に保持されている。パレット仕切板２１の形状は、簡単に分離可能な構造に形成されている支持部片２５に出し入れ自在であると共に紛失を防止するために目立つ色合いで着色され絵の具箱本体２内の元の場所に容易に戻せるように配慮されている。
【００２８】
以上のように、本考案による絵の具箱１は、上記構成の通り絵の具類入チューブを縦状に上方から複数本を纏めて収納できるように構成された絵の具類入チューブ収納部１０とその列端に設けられている備品収納部１４には、絵を描く際に必要になる筆洗いや油壺類等を収納出来るように構成されている。
又、道具類収納部１７は、絵の具類入チューブ収納部１０と備品収納部１４とで構成される直線状で平滑な仕切面２８によって区画されており、筆、ペインテイングナイフ、パレットナイフ、布等から構成されるその他の絵の道具類を納めて置けるように広い空隙を確保している。
【００２９】
更に、パレット類収納部１８がパレット仕切板２１と絵の具箱本体2内の反対の長片面側２２によって画成されており、パレット仕切板２１はパレットを縦長方向に折畳んで収納出来るように乱雑な取扱にも耐え得るように絵の具箱本体２内の短片面側２３、２４側に固定されたコの字型支持部片２５によって堅固に保持されている。
【００３０】
従って、本考案による絵の具箱１は、複数本の絵の具類入チューブ９を縦状に上方から纏めて収納できるように構成された絵の具類入チューブの収納部１０とその列端に設けられている備品収納部１４を備えているので、絵を描く際に必要になる筆洗いや油壺類等を収納出来ると共に、他の絵の道具類を納めて置ける道具類収納部１７も絵の具類入チューブの収納部１０と備品収納部１４とに隣接して構成されている。又、絵の具類入チューブの収納部１０の反対側にはパレット類収納部１８がパレット仕切板２１と絵の具箱本体2内の反対の長片面側２２によって画成されており、パレット仕切板２１はパレットを縦長方向に折畳んで収納出来るべく乱雑な取扱にも耐え得るように短片面側２３、２４側に固定されたコの字型支持部片２５によって堅固に支持されている。以上の構成によって、本考案による絵の具箱には、多くの絵の具類入チューブを容易に取り出し出来るように纏めて縦方向に収納できると共に、筆洗いや油壺類及び筆、ペインテイングナイフ、パレットナイフ、布等から構成されるその他の絵の道具類と縦長に折畳んだパレット類も容易に収納できるので、絵の道具類がコンパクトに整理、整頓された形態で収められることから、カンバス、イーゼルとこの絵の具箱を持ち運ぶことで絵の教室や屋外の写生に気軽に出掛けられる効果を奏している。
又、本考案による絵の具箱は、上記の基本的絵の具箱の他に縷々述べた構成の変更によって基本的絵の具箱に加えて多彩な絵の具箱を構成することもが可能である。
【産業上の利用可能性】
【００３１】
本考案は、複数本の絵の具類入チューブを纏めて縦状に上方から収納可能に構成された絵の具類入チューブの収納部を設けると共に他の絵の道具類の収納部を個別に構成することで、絵の道具類の持ち運びと簡潔な取り扱いが容易に成るようにコンパクトに整理、整頓される絵の具箱を提供している。
【図面の簡単な説明】
【００３２】
【図１】本考案による絵の具箱の斜視図
【図２】本考案による絵の具箱の内部を示す斜視図
【図３】本考案による絵の具箱本体の平面図
【図４】本考案による絵の具箱本体の縦断面図
【符号の説明】
【００３３】
１…絵の具箱、２…絵の具箱本体、３…蓋、４…留め具、５…装飾絵図、６…肩掛け紐、７…ベルト、８…バックル、９…絵の具類入チューブ、１０…絵の具類入チューブ収納部、１１…一長片面側、１２…４０ｍｌの絵の具類入チューブ、１３…２０ｍｌの絵の具類入チューブ、１４…備品収納部、１５…筆洗い、１６…油壺類、１７…道具類収納部、１８…パレット類収納部、１９…筆、２０…ペインテイングナイフ、２１…パレット仕切板、２２…反対の長片面側、２３、２４短片面側、２５…コの字型支持部片、２６…パレット、２７…空間、２８…平滑な仕切面、２９…仕切板
【図１】
0003145614.tif 000003
【図２】
0003145614.tif 000004
【図３】
0003145614.tif 000005
【図４】
0003145614.tif 000006